(57)【特許請求の範囲】
【請求項１】
恥骨前部と対向する前端吸収部と、この前端吸収部より後側に延在する主吸収部とを有する吸収性物品において、
前記前端吸収部は肌に接触する部分であるとともに、その前端から主吸収部側に向かって延在する分離部により、左側吸収部と右側吸収部とに分離されており、
前記左側吸収部と右側吸収部とを互いに重ね合わせるか、又は互いに近づくように寄せることにより、前記前端吸収部が前記主吸収部に対して上方に立ち上がるように構成され、
前記前端吸収部及び主吸収部は、下着内面に固定される基部上に設けられており、前記主吸収部は前記基部に固定されるとともに、前記前端吸収部は前記基部に対して固定されずに自由に移動可能なように構成されている、ことを特徴とする吸収性物品。
【請求項２】
前記基部のうち少なくとも前端吸収部の下側に位置する部分は、その上面から排泄物を吸収する下層吸収部として構成されている、請求項１記載の吸収性物品。
【請求項３】
前記基部のうち少なくとも前端吸収部の下側に位置する部分上に、下層吸収部が設けられており、この下層吸収部は前記基部に対して固定されずに自由に移動可能なように構成されている、請求項１記載の吸収性物品。  
【請求項４】
前記分離部は、前端から主吸収部側に向かうにつれて幅が狭くなる略Ｖ字形状のスリット部であり、且つそのスリット部の長手方向の長さは物品全長の２．５〜３５％であり、そのスリット部の幅方向の最大長さは製品の最大幅の２〜５５％である、請求項１〜３のいずれか１項に記載の吸収性物品。
【請求項５】
前記前端吸収部の厚さが、前記主吸収部の厚さの２０〜６０％である、請求項１〜４のいずれか１項に記載の吸収性物品。
【請求項６】
恥骨前部と対向する前端吸収部と、この前端吸収部より後側に延在する主吸収部とを有する吸収性物品において、
前記前端吸収部は肌に接触する部分であるとともに、その前端から主吸収部側に向かって延在する分離部により、左側吸収部と右側吸収部とに分離されており、
前記左側吸収部と右側吸収部とを互いに重ね合わせるか、又は互いに近づくように寄せることにより、前記前端吸収部が前記主吸収部に対して上方に立ち上がるように構成され、
前記左側吸収部と右側吸収部とが、幅方向に沿って伸長された弾性部材により繋がれており、この弾性部材の収縮力により前記左側吸収部と右側吸収部とが引き寄せられて接触又は重なるように構成されている、ことを特徴とする吸収性物品。
【請求項７】
恥骨前部と対向する前端吸収部と、この前端吸収部より後側に延在する主吸収部とを有する吸収性物品において、
前記前端吸収部は肌に接触する部分であるとともに、その前端から主吸収部側に向かって延在する分離部により、左側吸収部と右側吸収部とに分離されており、
前記左側吸収部と右側吸収部とを互いに重ね合わせるか、又は互いに近づくように寄せることにより、前記前端吸収部が前記主吸収部に対して上方に立ち上がるように構成され、
前記左側吸収部及び右側吸収部のいずれか一方の裏面を、他方の表面に止着する止着手段を備えた、ことを特徴とする吸収性物品。
【発明の詳細な説明】
【技術分野】
【０００１】
本発明は、経血、おりもの、尿などの排泄物を吸収するための生理用ナプキン、パンティライナー、尿吸収パッド等の使い捨て吸収性物品に関するものである。
【背景技術】
【０００２】
従来より使用される、パンティライナー、生理用ナプキン、失禁パッドなどの吸収性物品は、その前後端の形状が平坦であるものが多く、吸収性物品と身体形状の間に生じる空隙から前後方向に経血等の排泄物が漏れやすい、という問題があった。
【０００３】
おもに後ろ方向への漏れを防止する手段として、特許文献１に示すような、着用者の陰唇間若しくは臀部の形状に合わせて変形させることが可能な吸収性物品が開示されている。
【０００４】
しかし、経血等の排泄物の漏れは、着用者の恥骨前部（女性においては恥丘）の形状と吸収性物品との間の空隙より前方向にも生じ得るものであり、特許文献１に開示される吸収性物品は、その前端側の漏れを有効に防止し得るものではなかった。
【先行技術文献】
【特許文献】
【０００５】
【特許文献１】特許第３６１４４１５号公報
【発明の概要】
【発明が解決しようとする課題】
【０００６】
本発明の主たる課題は、前方向への排泄物の漏れを有効に防止し得る吸収性物品を提供することにある。
【課題を解決するための手段】
【０００７】
上記課題を解決した本発明は次記のとおりである。なお、本発明において「前」及び「後ろ」とは、それぞれ着用者の腹側、背側を示し、「上方」とは着用者の頭側、「下方」とは「上方」の反対方向を示すものとする。また、「表面側」とは肌当接面側を、「裏面側」とはその反対側を示すものとする。
【０００８】
＜請求項１記載の発明＞
恥骨前部と対向する前端吸収部と、この前端吸収部より後側に延在する主吸収部とを有する吸収性物品において、
前記前端吸収部は肌に接触する部分であるとともに、その前端から主吸収部側に向かって延在する分離部により、左側吸収部と右側吸収部とに分離されており、
前記左側吸収部と右側吸収部とを互いに重ね合わせるか、又は互いに近づくように寄せることにより、前記前端吸収部が前記主吸収部に対して上方に立ち上がるように構成され、
前記前端吸収部及び主吸収部は、下着内面に固定される基部上に設けられており、前記主吸収部は前記基部に固定されるとともに、前記前端吸収部は前記基部に対して固定されずに自由に移動可能なように構成されている、ことを特徴とする吸収性物品。
【０００９】
（作用効果）
本発明では、前端吸収部を主吸収部に対して立ち上げることで、前端吸収部から主吸収部にかけての屈曲部が恥骨前部の形状に沿うようになり、恥骨前部と吸収体の間の空隙が少なくなり、前側への経血等の漏れが生じにくい、という効果を発揮する。
また、使用時に左側吸収部と右側吸収部とを重ね合わせることができるため、吸収体の重ね具合により、その形状を着用者にあわせて調整可能である。一方で、使用前の吸収性物品はフラットな形状であるため、輸送時にかさばらない、という利点を有する。
【００１０】
【００１１】
また、従来の吸収性物品の多くは下着の内面に粘着剤等により剥離可能に固定されるものが一般的であるが、その場合、物品の形状が下着により拘束されてしまうため、身体に対して下着がずれたときには、吸収性物品は身体ではなく下着に追従する結果、身体に対してはずれてしまう。これに対して、上述のように、下着内面に固定される基部に対して前端吸収部を固定せずに自由に移動可能とすると、身体に対して下着がずれ、これに伴い基部がずれたとしても、前端吸収部は身体に追従してフィットすることができる。
【００１２】
＜請求項２記載の発明＞
前記基部のうち少なくとも前端吸収部の下側に位置する部分は、その上面から排泄物を吸収する下層吸収部として構成されている、請求項１記載の吸収性物品。
【００１３】
（作用効果）
この場合、分離部や前端吸収部裏面から染み出した経血等を下層吸収部で吸収することが可能である。
【００１４】
＜請求項３記載の発明＞
前記基部のうち少なくとも前端吸収部の下側に位置する部分上に、下層吸収部が設けられており、この下層吸収部は前記基部に対して固定されずに自由に移動可能なように構成されている、請求項１記載の吸収性物品。
【００１５】
（作用効果）
下層吸収部が上層の前端吸収部と共に上方に立ち上がることにより、前端吸収部のスリット部分及び前端吸収部裏面より染み出す経血が、前端吸収部と下層吸収部との間隙から前方向にもれにくく、より確実に吸収することができる。
【００１６】
＜請求項４記載の発明＞
前記分離部は、前端から主吸収部側に向かうにつれて幅が狭くなる略Ｖ字形状のスリット部であり、且つそのスリット部の長手方向の長さは物品全長の２．５〜３５％であり、そのスリット部の幅方向の最大長さは製品の最大幅の２〜５５％である、請求項１〜３のいずれか１項に記載の吸収性物品。
【００１７】
（作用効果）
分離部をこのような形状、大きさとすることで、吸収体前端部をより着用者の身体に合わせた形状としやすい。
【００１８】
＜請求項５記載の発明＞
前記前端吸収部の厚さが、前記主吸収部の厚さの２０〜６０％である、請求項１〜４のいずれか１項に記載の吸収性物品。
【００１９】
（作用効果）
前端吸収部における左右の部分を重ね合わせた場合、重ね合わされた部分が嵩高となりやすく、着用感や恥骨前部へのフィット性に影響を与えるおそれがある。これに対して、前端吸収部の厚みを主吸収部より薄くすることにより、重ね合わされた部分の嵩高感を軽減することができる。
【００２０】
＜請求項６記載の発明＞
恥骨前部と対向する前端吸収部と、この前端吸収部より後側に延在する主吸収部とを有する吸収性物品において、
前記前端吸収部は肌に接触する部分であるとともに、その前端から主吸収部側に向かって延在する分離部により、左側吸収部と右側吸収部とに分離されており、
前記左側吸収部と右側吸収部とを互いに重ね合わせるか、又は互いに近づくように寄せることにより、前記前端吸収部が前記主吸収部に対して上方に立ち上がるように構成され、
前記左側吸収部と右側吸収部とが、幅方向に沿って伸長された弾性部材により繋がれており、この弾性部材の収縮力により前記左側吸収部と右側吸収部とが引き寄せられて接触又は重なるように構成されている、ことを特徴とする吸収性物品。
【００２１】
（作用効果）
このような構成とすることにより、前端吸収部が自動的に立ち上がり、恥骨前部に沿う立体形状となるとともに、その形状が弾力的に維持されるため恥骨前部に対するフィット性にも優れたものとなる。
【００２２】
＜請求項７記載の発明＞
恥骨前部と対向する前端吸収部と、この前端吸収部より後側に延在する主吸収部とを有する吸収性物品において、
前記前端吸収部は肌に接触する部分であるとともに、その前端から主吸収部側に向かって延在する分離部により、左側吸収部と右側吸収部とに分離されており、
前記左側吸収部と右側吸収部とを互いに重ね合わせるか、又は互いに近づくように寄せることにより、前記前端吸収部が前記主吸収部に対して上方に立ち上がるように構成され、
前記左側吸収部及び右側吸収部のいずれか一方の裏面を、他方の表面に止着する止着手段を備えた、ことを特徴とする吸収性物品。
【００２３】
（作用効果）
このような止着手段を備えることにより、前端吸収部の上方への立ち上がり構造を保持することが可能となる。
【発明の効果】
【００２４】
本発明によれば、吸収性物品において、吸収体の前端が恥骨前部の形状に沿って上方に立ち上がった形状となるため、吸収体と身体との間の間隙が小さくなり、前方向への経血等の漏れを軽減することができる。
【図面の簡単な説明】
【００２５】
【図１】本発明の第１の実施形態に係る生理用ナプキンの展開図である。
【図２】第１の実施形態の横断面図（図１のＩ−Ｉ線矢視図）である。
【図３】第１の実施形態の横断面図（図１のII−II線矢視図）である。
【図４】第１の実施形態の使用時の形状を示す斜視図である。
【図５】本発明の第２の実施形態の展開図である。
【図６】第２の実施形態の横断面図（図５のIII−III線矢視図）である。
【図７】第１の実施形態の横断面図（図５のIV−IV線矢視図）である。
【図８】本発明の第３の実施形態の展開図である。
【図９】第３の実施形態の横断面図（図８のＶ−Ｖ矢視図）である。
【図１０】第３の実施形態の横断面図（図８のVI−VI矢視図）である。
【図１１】本発明の第４の実施形態の展開図である。
【図１２】本発明の第５の実施形態の展開図である。
【発明を実施するための形態】
【００２６】
以下、本発明の実施の形態について図面を参照しながら詳述する。
＜生理用ナプキンの基本構造＞
図１は本発明に係る吸収性物品１０の例として、生理用ナプキンの実施形態の一例を示した展開図である。図３は図１のII−II線矢視図である。生理用ナプキン１０の基本構造は、不織布よりなる透液性のトップシート１Ａ、吸収体３Ａ及びポリエチレンシート等の不透液性シートからなるバックシート２がこの順に積層された構造である。
【００２７】
不透液性バックシート２は、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。バックシート２の非使用面側（外面）には１または複数条の粘着剤層（図示せず）が形成され、身体への装着時に生理用ナプキン１０を下着に固定するようになっている。バックシート２としては、プラスチックフィルムと不織布とを積層させたポリラミ不織布を用いてもよい。
【００２８】
透液性トップシート１Ａとしては、有孔または無効の不織布が用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。トップシート１Ａに多数の透孔を形成した場合には、経血が速やかに吸収されるようになり、ドライタッチ性に優れたものとなる。なお、トップシート１Ａとしてエアスルー不織布等の液保持性に富む素材を用いると、トップシート１Ａに液残りを生じる恐れがあるため、疎水性の素材を使用する、撥水剤を塗布する等、撥水性を有するシートを好適に使用できる。  
【００２９】
吸収体３Ａは経血を吸収・保持し得るものであれば良く、通常はフラッフ状パルプ中に吸水性ポリマー粉末を混入したものが吸収機能および価格の点から好適に使用される。また、吸収体３Ａには合成繊維が含まれていてもよい。吸収体３Ａは形状及びポリマー粉末保持等のために包装シートによって囲繞されていてもよい。包装シートは、クレープ紙、親水性不織布等の公知のシートを使用できるが、後述のエンボス処理に適するため、ポリエチレンまたはポリプロピレン等のオレフィン系、ポリエステル系、ポリアミド系等、もしくはその複合繊維、共重合体、ブレンド体といった熱融着性を有する合成繊維を混入させたシートとすることがより好ましい。熱融着繊維は、少なくともトップシートと直接接触する部分に混入させればよいが、製造効率等より、全体的に混入させることがより好ましい。
【００３０】
また、トップシート１と吸収体３Ａとの間に不繊布等からなるセカンドシートを積層し、体液の拡散性向上を図ることもできる。さらに、両側部上に、体液の横漏れ防止機能を有する起立ギャザーを設けてもよい。
【００３１】
本形態の生理用ナプキン１０は、吸収体３Ａの両側端部かつ前後方向中央部に前後方向に向かう線を描くエンボスＥ１がトップシート１Ａ上から付与されている。このエンボスＥ１の付与によって、体液の前後方向への拡散性が向上し、また、着用者の脚部の動きによる、長手方向中央部分の幅方向中央寄りの圧力がかかった場合に、このエンボスＥ１部分において、折れ曲がりやすく、不測の変形を引き起こさない、という利点がある。
【００３２】
トップシート１Ａ及びバックシート２は、吸収体３Ａの前後方及び両側方まで延出している。この延出部分のうち、前方向以外の延出部分において、トップシート１及びバックシート２は、ホットメルト等の接着剤やヒートシール等によって接合され、それぞれ製品後縁又は側縁を規律するバックフラップ又はサイドフラップが形成される。
【００３３】
ここで、トップシート１Ａ及びバックシート２の延出は、前後方向中央部において幅方向に長くし、この長くなった部分で、肌着の裏側（外面側）に折り返されて止着される、いわゆるウィングを構成することもできる。
【００３４】
バックシート２の裏面側には、通常、ショーツ等の肌着に対する止着部が設けられる。この止着部は、例えば、スチレン・ブタジエン共重合体やスチレン・オレフィン共重合体等からなる粘着剤を、前後方向に帯状に塗布して形成することができる。この止着部は、装着時において生理用ナプキン１０を肌着に止着するためのものであるが、本生理用ナプキン１０を需要者に提供する段階においては、個別包装のための剥離シートなどを止着しておくこともできる。この剥離シートは、ポリエチレンシート、ポリプロピレンシート、ポリエチレンテレフタレートシート、ラミネート紙、等からなり、止着部に対して剥離可能とされる。
【００３５】
本形態の生理用ナプキン１０は、吸収体３Ａの両側端部かつ前後方向中央部に前後方向に向かう線を描くエンボスＥ１がトップシート１Ａ上から付与されている。このエンボスＥ１の付与によって、体液の前後方向への拡散性が向上し、また、着用者の脚部の動きによる、長手方向中央部分の幅方向中央寄りの圧力がかかった場合に、このエンボスＥ１部分において、折れ曲がりやすく、不測の変形を引き起こさない、という利点がある。
【００３６】
＜第１の実施形態＞
第１の実施形態を図１〜図４に示す。図１は第１の実施形態において、生理用ナプキンの吸収体３Ａの前端吸収部５ＡはＶ字状スリットＳよりなる分離部を有し、右側吸収部と左側吸収部に分かれる。当該スリット当接部位のトップシートも同様の形状のスリットが配されている。図２は、図１のＩ−Ｉ断視図であり、Ｇはホットメルト接着剤等で固着されている固着部である。前端吸収部５Ａの裏面側は、バックシート２に固着されず、間に介在された不織布４Ａに固着されている。不織布４Ａは、その後端側の一部のみがバックシート２に固定されており、その前端側はバックシート２に対して離間可能である。不織布４Ａは、図示例のように、トップシート１Ａのスリット両側部と同一形状を有し、間に吸収体３Ａを介在して、トップシート１Ａとその縁部が一致するように積層されている。更に、トップシート１Ａと不織布４Ａの後端側以外は吸収体３Ａより前方向及び両側方に延出しており、当該延出部分において、トップシート１Ａと不織布４Ａはホットメルト接着剤等で直接固着されている。このように、吸収体３Ａの前端側のスリットＳの両側部は、その表面側及び裏面側が、それぞれトップシート１Ａと不織布４Ａで覆われており、その裏面側にバックシート２に固着されない部分を有する。このバックシート２に固着されない部分を前端吸収部５Ａとする。図示例においては、スリットＳは吸収体に１箇所にのみ配され、前端吸収部５Ａは２つに分かれているが、右側吸収部、左側吸収部のどちらか一方または両方にスリットを配し、前端吸収部５Ａが３つ以上の部分に分かれる構成としてもよい。
【００３７】
Ｖ字状スリットＳの長手方向の長さは、製品の長手方向の全長の２．５〜３５％、特に５．０〜２５％とし、幅方向の長さは、該当部分の製品幅の１．５〜５５％、特に５．０〜３５％とすることが好ましい。
【００３８】
前端吸収部５Ａの厚みは、吸収体３Ａの前端吸収部以外の部分（主吸収部８）の厚みの２０〜６０％、特に２５〜５０％とすることが好ましい。前端吸収部５Ａの右側吸収部と左側吸収部を重ねせたときに、主吸収部８と同等の厚みとすることで、前端吸収部５Ａを嵩高にすることがないため、その着用感を損ないにくい。
【００３９】
不織布４Ａは、トップシート１Ａと一体として配してもよいが、製造効率の観点から、別体として配するのがより好ましい。不織布４Ａを形成する素材等は特に限定されないが、吸収体に吸収された経血等の裏面側への染み出しを少なくするため、撥水性を有することが好ましい。特にトップシート１Ａを構成する不織布と同一素材の不織布を使用することが好ましい。
【００４０】
前端吸収部５Ａの右側吸収部及び左側吸収部の少なくとも１つの裏面側の不織布４Ａには、係止手段６Ａを配することが好ましい。係止手段としては、面ファスナーのフックテープ、粘着剤等が挙げられる。複数回の着脱が可能であること、後述のように、不織布よりなるトップシート１Ａへの係止が容易であることから、特にフックテープを好適に使用することができる。
【００４１】
使用時には、前端吸収部５Ａの係止手段６Ａを有する部分を、他方の部分の上に重ねて、係止手段６Ａをトップシート１Ａ上に係止させる構成とする。係止させた状態を図４に示す。図４において、前端吸収部５Ａはバックシートより離間して、主吸収部８より斜め上方に立ち上がり、立体形状を構成する。前端吸収部５Ａの後端には、前述の立ち上がりを容易とするため、エンボスＥ２を設けることが好ましい。
【００４２】
バックシート２はそのまま露出させてもよいが、その見栄えや、スリット部からの肌側露出部分の肌あたりを良くするため、不織布４Ａとバックシート２との間に、第２のトップシート１Ｂを配することが好ましい。第２のトップシート１Ｂはバックシートと同一の形状としてもよく、また図示例のように前端側に部分的に配してもよい。第２のトップシート１Ｂは、不織布４Ａと一体的に配してもよいが、製造効率の観点より、別体として配するのが好ましい。また、第２のトップシート１Ｂは、トップシート１Ａまたは不織布４Ａと同一の不織布を使用してもよいが、前端吸収部５Ａのスリット間や、前端吸収部５Ａの裏面側より染み出した経血等を保液することが望ましい為、親水性の不織布を使用することがより好ましい。
【００４３】
＜第２の実施形態＞
第２の実施形態を図５〜７に示す。第２の実施形態において、吸収体３Ａと裏面側の下層吸収体３Ｂとが積層されている。吸収体３Ａの前端はスリットを有し、バックシート２より離間可能であるが、下層吸収体３Ｂはバックシート２に全体的に固着され、その前端側は第２のトップシート１Ｂで覆われている。
【００４４】
下層吸収体３Ｂとしては、吸収体３Ａと同一の素材としてもよいが、吸収体３Ａがある程度の嵩を有するため、全体としての嵩を抑えるため、エアレイド不織布等のシート状の吸収体を使用することが好ましい。
【００４５】
吸収体３Ａの裏面側に下層吸収体３Ｂを備えることで、前端吸収部５Ａのスリット間や裏面側から染み出した経血等を吸収することが可能となる。なお、本形態においても、第２のトップシート１Ｂは親水性不織布を使用することが好ましい。
その他、トップシート１Ａ，吸収体３Ａ，前端吸収部５Ａ、不織布４Ａ、係止手段６Ａ等の性状及び構造は第１の実施形態と同様である。
【００４６】
＜第３の実施形態＞
第３の実施形態を図８〜１０に示す。第３の実施形態において、下層吸収体３Ｂは、その前端部の、特に前端吸収部５Ａの下部に相当する部分が、裏面側に不織布４Ｃが介在することにより、バックシート２に固定されず離間可能となっている。このバックシート２から離間可能な部分をまた、吸収体３Ｂの当該部分は、使用前の状態では、表面側においても、下層前端吸収部５Ｂとする。下層前端吸収部５Ｂは、下層吸収体３Ｂと上層の吸収体３Ａとの間に不織布４Ｂが介在することにより、前端吸収部５Ａにも固定されない状態となる。不織布４Ｂ，４Ｃは同一の形状とし、下層吸収体３Ｂを介在してその縁部が一致するように積層することが好ましい。不織布４Ｂ，４Ｃは、積層状態で吸収体３Ｂより前方及び両側方に延出しており、当該延出部分がホットメルト接着剤等で固着されている。このように、下層吸収体３Ｂの前端部は、その表側面、裏側面がそれぞれ不織布４Ｂ，４Ｃで覆われている。
吸収体３Ｂの、その前端部の、吸収体３Ａの前端吸収部５Ａの直下に相当する部分を下層前端吸収部５Ｂとする。
【００４７】
不織布４Ｂ，４Ｃは一体の不織布を使用してもよいが、製造効率の観点から別体の不織布を使用することが好ましい。不織布４Ｂ，４Ｃの素材は特に限定されないが、撥水性の不織布とすることが好ましい。特にトップシート１Ａと同一の不織布を好適に使用できる。
【００４８】
図示例において、下層前端吸収部５Ｂはその前端中央部に係止手段６Ｂを有する。使用時において、前端吸収部５Ａを係止手段６Ａにより組み立て、バックシート２より離間させ、主吸収部８より立ち上がった状態とした後、係止手段６Ｂにより前端吸収部５Ａの最裏面に下層前端吸収部５Ｂの表面側を係止することにより下層前端吸収部５Ｂもバックシート２から離間させ、立体的に立ち上がった状態とすることができる。なお、下層前端吸収部５Ｂに係止手段６Ｂを設けず、立ち上がった状態の前端吸収部５Ａの最裏面に係止手段６Ａが位置する構成としてもよい。このように、前端吸収部５Ａの裏面側に下層前端吸収部５Ｂを係止可能な構成とすることで、使用時に前端吸収部５Ａのスリット間や裏面から染み出した経血等が、吸収体３Ａと３Ｂの空隙から前方に漏れだすのを軽減することが可能となる。
その他、トップシート１Ａ，第２のトップシート１Ｂ、バックシート２、吸収体３Ａ，吸収体３Ｂの他の部分、不織布４Ａの性状及び構造は第２の実施形態と同様である。
【００４９】
＜第４の実施形態＞
第４の実施形態の展開図を図１１に示す。第４の実施形態においては、吸収体３Ａの後端側にも前端側と同様の形態のスリットＳ、後端吸収部５Ｃ、その前端のエンボスＥ３、及び後端吸収部５Ｃの裏面に配された係止手段６Ｃを有する構成とする。後端吸収部５Ｃの裏面側には不織布４Ｄが配され、バックシート２の表面側には第３のトップシート１Ｃが配される。このような構成とすることで、前側のみでなく、後ろ側も着用者の身体の形状に合わせて立体的な形状とすることができる。
その他の構成は、第１の実施形態と同様である。
【００５０】
＜第５の実施形態＞
第５の実施形態の展開図を図１２に示す。第５の実施形態においては、前端吸収部５ＡのスリットＳを横断するように、トップシート１Ａの吸収体側面に複数の弾性部材７，７…を設ける構成とする。弾性部材７，７…の収縮により、前端吸収部５Ａの各部分が互いにその側辺を接するように、もしくは重ね合わされるように引き寄せられることで、前端吸収部５Ａが主吸収部８より立ち上がった状態となる。
その他の構成は第１の実施形態と同様である。
【産業上の利用可能性】
【００５１】
本発明は、生理用ナプキン、パンティライナー、尿吸収パッド等の使い捨て吸収性物品に利用することができる。
【符号の説明】
【００５２】
１０…吸収性物品、１Ａ，１Ｂ，１Ｃ…透液性トップシート、２…不透液性バックシート、３Ａ，３Ｂ…吸収体、４Ａ，４Ｂ，４Ｃ，４Ｄ…不織布、５Ａ…前端吸収部、５Ｂ…下層前端吸収部、５Ｃ…後端吸収部、６Ａ，６Ｂ，６Ｃ…係止手段、７…弾性部材、Ｅ１，Ｅ２…エンボス、Ｓ…スリット、８…主吸収部、Ｇ…固着部。
【図１】
0005773591.tif 000002
【図２】
0005773591.tif 000003
【図３】
0005773591.tif 000004
【図４】
0005773591.tif 000005
【図５】
0005773591.tif 000006
【図６】
0005773591.tif 000007
【図７】
0005773591.tif 000008
【図８】
0005773591.tif 000009
【図９】
0005773591.tif 000010
【図１０】
0005773591.tif 000011
【図１１】
0005773591.tif 000012
【図１２】
0005773591.tif 000013